(57)【特許請求の範囲】
【請求項１】
鍵盤部を搭載した楽器本体と、一対の脚板および背板を有するスタンド部材とを備えた鍵盤楽器の製造方法であって、
前記一対の脚板を互いに離れる方向に押し広げた状態で前記一対の脚板を仮固定し、
この仮固定された前記一対の脚板間に前記楽器本体を配置して前記一対の脚板を前記楽器本体の両側面に押し当て、
固定部材により前記一対の脚板を前記背板および前記楽器本体に対して固定する、鍵盤楽器の製造方法。
【請求項２】
請求項１に記載の製造方法を用いて製造する鍵盤楽器。
【請求項３】
前記固定部材は、一端部が前記脚板の内面に取り付けられ、他端部が前記背板の内面に対向すると共に、この他端部にねじ孔が設けられた固定板と、前記背板に前記一対の脚板が互いに接離する方向に沿って設けられた長孔に前記背板の外面から挿入されて前記固定板の前記ねじ孔に螺入するねじ部材とを備えていることを特徴とする請求項２に記載の鍵盤楽器。
【請求項４】
前記ねじ部材は、前記背板の外面に当接する頭部と、前記背板の厚みとほぼ同じ長さに形成されて前記背板の前記長孔内にその長手方向に沿って移動可能に挿入する首部と、前記固定板の前記ねじ孔に螺入するねじ部とを備えていることを特徴とする請求項３に記載の鍵盤楽器。
【請求項５】
前記背板の前記長孔内にその長手方向に沿って移動可能に配置されて前記ねじ部材が挿入する変形可能な円筒部材を備えており、
この円筒部材は、その長さが前記背板の厚みよりも長く形成され、その内部に前記ねじ部材が前記背板の外面から挿入して前記固定板の前記ねじ孔に螺入し、この状態で前記ねじ部材が締め付けられた際に変形することを特徴とする請求項３または請求項４に記載の鍵盤楽器。
【請求項６】
前記固定部材は、一端部が前記脚板の内面に取り付けられ、他端部が前記楽器本体の下面に沿ってその長手方向に突出し、この突出した先端部にフック部が設けられた係止固定板と、前記楽器本体および前記背板の一方に取り付けられ、前記係止固定板の前記フック部を係脱可能に係止して回転操作によって前記一対の脚板が互いに接近する方向に向けて引き寄せることにより、前記脚板を前記楽器本体の側面に押し付けて固定するためのクランプ部材とを備えていることを特徴とする請求項２に記載の鍵盤楽器。
【請求項７】
前記固定部材は、前記楽器本体の長手方向に沿って前記背板に取り付けられたガイド板と、このガイド板にスライド可能に保持されて一端部が前記脚板に取り付けられ、且つ前記スライド方向に沿って長孔が形成されたスライド板と、このスライド板の前記長孔を通して前記背板に設けられたねじ孔に螺入することにより、前記スライド板を前記ガイドに固定するためのねじ部材とを備えていることを特徴とする請求項２に記載の鍵盤楽器。
【請求項８】
前記固定部材は、一端部が前記脚板に取り付けられ、他端部が前記楽器本体の長手方向に沿って延び、この延びた他端部に第１の噛合歯が直線的に設けられた固定板と、この固定板の前記第１の噛合歯に噛み合う第２の噛合歯を有する回転体と、この回転体を前記楽器本体および前記背板の一方に固定するためのねじ部材とを備えていることを特徴とする請求項２に記載の鍵盤楽器。
【請求項９】
鍵盤部を搭載した楽器本体と、一対の脚板および背板を有するスタンド部材と、前記一対の脚板を前記背板に対して前記一対の脚板の接離方向に向けて回転可能に連結する回転連結部材と、前記一対の脚板を前記背板に固定するための固定部材とを備えた鍵盤楽器の製造方法であって、
前記回転連結部材によって前記一対の脚板を互いに離れる方向に押し広げた状態で仮固定し、
この仮固定された前記一対の脚板間に前記楽器本体を配置して前記回転連結部材を中心に前記一対の脚板を回転させて前記楽器本体の両側面に押し当て、
前記固定部材によって前記一対の脚板を前記背板に固定する、鍵盤楽器の製造方法。
【請求項１０】
請求項９に記載の製造方法を用いて製造する鍵盤楽器。
【発明の詳細な説明】
【技術分野】
【０００１】
この発明は、電子ピアノや電子オルガンなどの鍵盤楽器、及び鍵盤楽器の製造方法に関する。
【背景技術】
【０００２】
従来、鍵盤楽器においては、特許文献１に記載されているように、鍵盤部を搭載した楽器本体と、一対の脚板を有するスタンド部材とを備え、このスタンド部材における一対の脚板間に棚板を取り付け、この棚板上に楽器本体を配置するように構成されたものが知られている。
【先行技術文献】
【特許文献】
【０００３】
【特許文献１】特開平０７−２９５５４８号公報
【０００４】
この種の鍵盤楽器は、一対の脚板間に棚板を取り付けるために、Ｌ字形状に折り曲げられた一対の固定金具を一対の脚板の各内面にそれぞれねじ部材で固定し、この固定された一対の固定金具上に棚板を配置し、この棚板上に楽器本体を搭載するように構成されている。
【０００５】
この場合、固定金具を脚板に取り付ける際に、その高さ方向の位置を調整して取り付けているために、一対の脚板には、その上下方向に沿って複数のねじ孔が設けられ、この複数のねじ孔のいずれかにねじ部材を螺入させて固定金具を取り付けている。このため、楽器本体の両側面部における各下部には、スタンド部材における一対の脚板の各上部が挿入するための切欠部がそれぞれ設けられている。
【発明の概要】
【発明が解決しようとする課題】
【０００６】
しかしながら、このような従来の鍵盤楽器では、スタンド部材の一対の脚板間が一定の間隔に保たれた状態で、一対の脚板が固定されているため、一対の脚板間に取り付けられた棚板上に楽器本体を配置する際に、楽器本体の両側部の各下部にそれぞれ設けられた各切欠部に一対の脚板の各上部をそれぞれ挿入させた状態で、楽器本体を一対の脚板間に隙間を生じることなく取り付けることが難しいという問題がある。
【０００７】
すなわち、一対の脚板間の間隔と楽器本体の長さとが同じであると、楽器本体を一対の脚板間に嵌め込む際に、楽器本体を傷付けてしまう虞がある。また、一対の脚板間の間隔が楽器本体の長さよりも長いと、楽器本体を一対の脚板間に嵌め込んだ際に、楽器本体の両側部と一対の脚板との間に隙間が生じてしまい、外観的に好ましくないという問題がある。
【０００８】
この発明が解決しようとする課題は、楽器本体を傷付けたり一対の脚板と楽器本体との間に隙間が生じたりすることがなく、簡単に且つ容易に楽器本体を一対の脚板間に組み付けることができる鍵盤楽器、及び鍵盤楽器の製造方法を提供することである。
【課題を解決するための手段】
【０００９】
この発明は、上記課題を解決するために、次のような構成要素を備えている。
請求項１に記載の発明は、鍵盤部を搭載した楽器本体と、一対の脚板および背板を有するスタンド部材とを備えた鍵盤楽器の製造方法であって、前記一対の脚板を互いに離れる方向に押し広げた状態で前記一対の脚板を仮固定し、この仮固定された前記一対の脚板間に前記楽器本体を配置して前記一対の脚板を前記楽器本体の両側面に押し当て、固定部材により前記一対の脚板を前記背板および前記楽器本体に対して固定する、鍵盤楽器の製造方法である。
請求項２に記載の発明は、請求項１に記載の製造方法を用いて製造する鍵盤楽器である。
【００１０】
請求項３に記載の発明は、前記固定部材は、一端部が前記脚板の内面に取り付けられ、他端部が前記背板の内面に対向すると共に、この他端部にねじ孔が設けられた固定板と、前記背板に前記一対の脚板が互いに接離する方向に沿って設けられた長孔に前記背板の外面から挿入されて前記固定板の前記ねじ孔に螺入するねじ部材とを備えていることを特徴とする請求項２に記載の鍵盤楽器である。
【００１１】
請求項４に記載の発明は、前記ねじ部材は、前記背板の外面に当接する頭部と、前記背板の厚みとほぼ同じ長さに形成されて前記背板の前記長孔内にその長手方向に沿って移動可能に挿入する首部と、前記固定板の前記ねじ孔に螺入するねじ部とを備えていることを特徴とする請求項３に記載の鍵盤楽器である。
【００１２】
請求項５に記載の発明は、前記背板の前記長孔内にその長手方向に沿って移動可能に配置されて前記ねじ部材が挿入する変形可能な円筒部材を備えており、この円筒部材は、その長さが前記背板の厚みよりも長く形成され、その内部に前記ねじ部材が前記背板の外面から挿入して前記固定板の前記ねじ孔に螺入し、この状態で前記ねじ部材が締め付けられた際に変形することを特徴とする請求項３または請求項４に記載の鍵盤楽器である。
【００１３】
請求項６に記載の発明は、前記固定部材は、一端部が前記脚板の内面に取り付けられ、他端部が前記楽器本体の下面に沿ってその長手方向に突出し、この突出した先端部にフック部が設けられた係止固定板と、前記楽器本体および前記背板の一方に取り付けられ、前記係止固定板の前記フック部を係脱可能に係止して回転操作によって前記一対の脚板が互いに接近する方向に向けて引き寄せることにより、前記脚板を前記楽器本体の側面に押し付けて固定するためのクランプ部材とを備えていることを特徴とする請求項２に記載の鍵盤楽器である。
【００１４】
請求項７に記載の発明は、前記固定部材は、前記楽器本体の長手方向に沿って前記背板に取り付けられたガイド板と、このガイド板にスライド可能に保持されて一端部が前記脚板に取り付けられ、且つ前記スライド方向に沿って長孔が形成されたスライド板と、このスライド板の前記長孔を通して前記背板に設けられたねじ孔に螺入することにより、前記スライド板を前記ガイドに固定するためのねじ部材とを備えていることを特徴とする請求項２に記載の鍵盤楽器である。
【００１５】
請求項８に記載の発明は、前記固定部材は、一端部が前記脚板に取り付けられ、他端部が前記楽器本体の長手方向に沿って延び、この延びた他端部に第１の噛合歯が直線的に設けられた固定板と、この固定板の前記第１の噛合歯に噛み合う第２の噛合歯を有する回転体と、この回転体を前記楽器本体および前記背板の一方に固定するためのねじ部材とを備えていることを特徴とする請求項２に記載の鍵盤楽器である。
【００１６】
請求項９に記載の発明は、鍵盤部を搭載した楽器本体と、一対の脚板および背板を有するスタンド部材と、前記一対の脚板を前記背板に対して前記一対の脚板の接離方向に向けて回転可能に連結する回転連結部材と、前記一対の脚板を前記背板に固定するための固定部材とを備えた鍵盤楽器の製造方法であって、  前記回転連結部材によって前記一対の脚板を互いに離れる方向に押し広げた状態で仮固定し、この仮固定された前記一対の脚板間に前記楽器本体を配置して前記回転連結部材を中心に前記一対の脚板を回転させて前記楽器本体の両側面に押し当て、前記固定部材によって前記一対の脚板を前記背板に固定する、鍵盤楽器の製造方法である。
請求項１０に記載の発明は、請求項９に記載の製造方法を用いて製造する鍵盤楽器である。
【発明の効果】
【００１７】
この発明によれば、スタンド部材に楽器本体を取り付ける際に、固定部材によってスタンド部材の一対の脚板を互いに離れる方向に押し広げた状態で、一対の脚板を仮固定し、この仮固定された一対の脚板間に楽器本体を配置して楽器本体の両側面に仮固定された一対の脚板を押し当て、この状態で一対の脚板を固定部材によって楽器本体に対して固定することができる。このため、楽器本体を傷付けたり一対の脚板と楽器本体との間に隙間が生じたりすることがなく、簡単に且つ容易に楽器本体を一対の脚板間に組み付けることができる。
【図面の簡単な説明】
【００１８】
【図１】この発明を鍵盤楽器に適用した実施形態１の正面図である。
【図２】図１の鍵盤楽器の要部を分解して示した斜視図である。
【図３】図２の鍵盤楽器を背面側から見て、仮固定された一対の脚板間に楽器本体を配置する状態を示した分解斜視図である。
【図４】図３に示されたスタンド部材のＡ部を示した拡大斜視図である。
【図５】図４の固定部材のＡ−Ａ矢視における断面を示し、（ａ）はねじ部材を固定板のねじ孔に螺入させて締め付ける前の仮固定状態を示した拡大断面図、（ｂ）はねじ部材を締め付けた状態を示した拡大断面図である。
【図６】この発明を鍵盤楽器に適用した実施形態２において、鍵盤楽器を背面側から見て仮固定された一対の脚板間に楽器本体を配置する状態を示した分解斜視図である。
【図７】図６に示されたスタンド部材のＢ部を示した拡大斜視図である。
【図８】図７の固定部材のＢ−Ｂ矢視における断面を示し、（ａ）はねじ部材を固定板のねじ孔に螺入させて締め付ける前の仮固定状態を示した拡大断面図、（ｂ）はねじ部材を締め付けた状態を示した拡大断面図である。
【図９】この発明を鍵盤楽器に適用した実施形態３において固定部材の要部を示し、（ａ）はねじ部材を固定板のねじ孔に螺入させて締め付ける前の仮固定状態を示した拡大断面図、（ｂ）はねじ部材を締め付けて円筒部材を変形させて背板に固定板を固定した状態を示した拡大断面図である。
【図１０】図９に示された円筒部材の拡大斜視図である。
【図１１】実施形態３の円筒部材に複数のスリット孔を設けた変形例を示し、（ａ）はその円筒部材の拡大斜視図、（ｂ）はその円筒部材が変形した状態を示した拡大斜視図である。
【図１２】この発明を鍵盤楽器に適用した実施形態４において、固定部材のクランプ部材によって一対の脚板を仮固定した状態を示した要部の拡大側面図である。
【図１３】図１２のクランプ部材によって脚板を楽器本体の側面に押し当てて固定した状態を示した要部の拡大側面図である。
【図１４】図１２に示された状態のクランプ部材を示した拡大斜視図である。
【図１５】図１３に示された状態のクランプ部材を示した拡大斜視図である。
【図１６】この発明を鍵盤楽器に適用した実施形態５において、一対の脚板が仮固定されたスタンド部材に楽器本体を取り付けた状態を示した正面図である。
【図１７】図１６に示されたスタンド部材のＣ部を示した拡大正面図である。
【図１８】図１７の固定部材を更に拡大して示し、（ａ）はその拡大正面図、（ｂ）は（ａ）のＣ−Ｃ矢視における拡大断面図である。
【図１９】この発明を鍵盤楽器に適用した実施形態６における固定部材を示し、（ａ）はその固定部材によって一対の脚板を仮固定した状態を示した要部の拡大断面図、（ｂ）は固定部材によって脚板を楽器本体の側面に押し当てて固定した状態を示した要部の拡大断面図である。
【図２０】図１９に示された固定部材を分解して示した拡大斜視図である。
【図２１】この発明を鍵盤楽器に適用した実施形態７において、一対の脚板が仮固定されたスタンド部材に楽器本体を取り付ける状態を示した要部の平面図である。
【図２２】図２１のスタンド部材に設けられた回転連結部材を示した拡大斜視図である。
【図２３】図２１に示されたスタンド部材に楽器本体を取り付けて固定部材によって固定した状態を示した正面図である。
【図２４】実施形態７における回転連結部材の変形例を分解して示した主要の拡大斜視図である。
【発明を実施するための形態】
【００１９】
（実施形態１）
以下、図１〜図５を参照して、この発明を鍵盤楽器に適用した実施形態１について説明する。
この鍵盤楽器は、図１および図２に示すように、鍵盤部１を搭載した楽器本体２と、この楽器本体２を支持するスタンド部材３とを備えている。鍵盤部１は、白鍵および黒鍵からなる複数の鍵４を有し、この複数の鍵４が楽器本体２内に音階順に配列された状態で収容され、この収容された複数の鍵４が楽器本体２から上方に露出するように構成されている。
【００２０】
楽器本体２は、図１〜図３に示すように、底板５と、この底板５の前端部に設けられた下前板６と、底板５の後端部に設けられた後板７と、底板５の両側部に設けられた一対の側板８と、この一対の側板８および後板７の上部に設けられた天板９とを備えている。この場合、天板９は、その前後方向の長さが底板５の前後方向の長さのほぼ半分程度の長さに形成されている。この天板９の前端下部には、上前板１０が設けられており、この天板９は、その両側部９ａが一対の側板８から側方に突出する長さに形成されている。
【００２１】
また、一対の側板８は、図２および図３に示すように、その前部８ａの厚みが厚く、後部８ｂの厚みが薄く形成されている。すなわち、一対の側板８は、天板９に対応する箇所の後部８ｂの厚みが薄く形成され、その前部８ａの厚みが厚く形成されている。このため、天板９の両側部９ａは、一対の側板８における前部８ａの外面とほぼ同じ長さに形成されて、一対の側板８の各後部８ｂの外面から側方に突出するように構成されている。
【００２２】
これにより、楽器本体２は、図２および図３に示すように、全体がほぼ横長の箱形状に形成されている。また、この楽器本体２は、図１および図２に示すように、下前板６と上前板１０との間が上方に開放され、この開放された部分から鍵盤部１の複数の鍵４が外部に露出するように構成されている。
【００２３】
スタンド部材３は、図１〜図３に示すように、一対の脚板１１と、この一対の脚板１１間における後部に取り付けられる背板１２と、一対の脚板１１間における下部の中間に架け渡されたペダル取付部材１３と備えている。この場合、一対の脚板１１は、その前後方向の長さが楽器本体２における天板９の前後方向の長さとほぼ同じ長さに形成され、一対の側板８における厚みの薄い各後部８ｂに配置されるように構成されている。
【００２４】
また、この一対の脚板１１は、一対の側板８の各後部８ｂに配置された際に、各脚板１１の外面が一対の側板８の各前部８ａの外面と同一平面になるように、一対の脚板１１の各厚みが形成された構成になっている。また、背板１２は、その左右方向の長さが楽器本体２の横方向の長さ、つまり一対の側板８の後部８ｂ間の長さとほぼ同じ長さに形成されている。なお、ペダル取付部材１３には、図１に示すように、複数のフットペダル１４が取り付けられている。
【００２５】
これにより、スタンド部材３は、図１に示すように、一対の脚板１１間に楽器本体２が上方または前方から挿入されて、楽器本体２の一対の側板８における厚みの薄い後部８ｂに一対の脚板１１が配置され、この状態で楽器本体２の天板９の両側部９ａが一対の脚板１１上に配置されることにより、一対の脚板１１間の上部に楽器本体２を支持した状態で、楽器本体２を固定するように構成されている。
【００２６】
ところで、このスタンド部材３は、図３〜図５に示すように、一対の脚板１１を互いに離れる方向に押し広げた状態で一対の脚板１１を仮固定し、この仮固定された一対の脚板１１間に楽器本体２を配置して一対の脚板１１を楽器本体２における一対の側板８の各後部８ｂの外面に押し当て、この状態で一対の脚板１１を背板１２および楽器本体２に対して固定するための複数の固定部材１５を備えている。
【００２７】
この固定部材１５は、図３〜図５に示すように、Ｌ字形状に折り曲げられた固定板１６と、この固定板１６を背板１２に固定するためのねじ部材１７とを備えている。固定板１６は、その一端部１６ａが背板１２に隣接する脚板１１の内面に取り付けられ、他端部１６ｂが背板１２の内面に対向すると共に、この他端部１６ｂにねじ部材１７が螺入するねじ孔１８が設けられた構成になっている。この場合、背板１２には、図４に示すように、ねじ部材１７が楽器本体２の長手方向、つまり一対の脚板１１が互いに接離する方向に沿って移動可能に挿入する長孔１９が、背板１２の外面から内面に貫通した状態で設けられている。
【００２８】
これにより、固定部材１５は、図３〜図５に示すように、ねじ部材１７を背板１２の長孔１９に外側から挿入させて固定板１６のねじ孔１８に螺入させることにより、一対の脚板１１を互いに離れる方向に移動可能に仮固定するように構成されている。また、この固定部材１５は、仮固定された一対の脚板１１間に楽器本体２を上方または前方から配置して、一対の脚板１１を楽器本体２における一対の側板８の各後部８ｂの外面に押し当て、この状態でねじ部材１７を締め付けることにより、固定板１６の他端部１６ｂを背板１２に固定して、一対の脚板１１を背板１２に固定するように構成されている。
【００２９】
すなわち、このスタンド部材３に楽器本体２を取り付ける際には、図３〜図５に示すように、まず、固定板１６の一端部１６ａを背板１２に隣接する脚板１１の内面に取り付けて、固定板１６の他端部１６ｂに設けられたねじ孔１８を背板１２に設けられた長孔１９に対応させる。この状態で、ねじ部材１７を背板１２の長孔１９に外側から挿入させて固定板１６のねじ孔１８に螺入させる。
【００３０】
このときには、図５（ａ）に示すように、ねじ部材１７の頭部１７ａが背板１２の外面に圧接せず、また固定板１６の他端部１６ｂが背板１２の内面に圧接しない状態であるため、ねじ部材１７が背板１２の長孔１９内をその長手方向に沿って移動可能な状態になることにより、一対の脚板１１が背板１２に対して仮固定される。このため、一対の脚板１１を互いに離れる方向に移動させて、図３に示すように、一対の脚板１１の上部間を楽器本体２の長手方向の長さよりも広い間隔に広げることができる。
【００３１】
この状態で、仮固定された一対の脚板１１間に楽器本体２を上方または前方から配置して、楽器本体２の天板９の両側部９ａを一対の脚板１１上に配置する。これにより、楽器本体２がスタンド部材３の一対の脚板１１に支持される。この後、ねじ部材１７を背板１２の長孔１９に沿って移動させながら、一対の脚板１１における各上部の内面を楽器本体２における一対の側板８の各後部８ｂの外面に押し当てる。このときには、一対の脚板１１の各外面と楽器本体２における一対の側板８の各前部８ａの外面とが同一平面になり、一対の脚板１１における各上部の内面と楽器本体２における一対の側板８の各後部８ｂの外面との間に隙間が生じないように、密着させることができる。
【００３２】
この状態で、ねじ部材１７を締め付けると、図５（ｂ）に示すように、ねじ部材１７の頭部１７ａが背板１２の外面に圧接し、固定板１６の他端部１６ｂが背板１２の内面に押し付けられて、固定板１６の他端部１６ｂが背板１２に固定される。これにより、一対の脚板１１における各上部の内面と楽器本体２における一対の側板８の各後部８ｂの外面との間に隙間が生じることなく、一対の脚板１１が背板１２に対して固定され、楽器本体２がスタンド部材３に取り付けられる。
【００３３】
このように、この鍵盤楽器の組立て構造によれば、鍵盤部１を搭載した楽器本体２を支持して固定するためのスタンド部材３が、一対の脚板１１および背板１２を有しているほか、一対の脚板１１を互いに離れる方向に押し広げた状態で一対の脚板１１を仮固定し、この仮固定された一対の脚板１１間に楽器本体２を配置して一対の脚板１１を楽器本体２の各側板８の外面に押し当て、この状態で一対の脚板１１を背板１２に対して固定するための固定部材１５を備えているので、この固定部材１５によって楽器本体２を傷付けたり一対の脚板１１と楽器本体２との間に隙間が生じたりすることなく、簡単に且つ容易に楽器本体２を一対の脚板１１間に組み付けることができる。
【００３４】
すなわち、スタンド部材３に楽器本体２を取り付ける際には、固定部材１５によってスタンド部材３の一対の脚板１１を互いに離れる方向に押し広げた状態で、この一対の脚板１１を仮固定することができる。この仮固定された一対の脚板１１間に楽器本体２を配置して楽器本体２の各側板８の外面に一対の脚板１１を押し当てて密着させ、この状態で一対の脚板１１を固定部材１５によって楽器本体２に対して固定することができる。このため、楽器本体２を傷付けたり一対の脚板１１と楽器本体２との間に隙間が生じたりすることがなく、簡単に且つ容易に楽器本体２を一対の脚板１１間に組み付けることができる。
【００３５】
この場合、固定部材１５は、一端部１６ａが脚板１１の内面に取り付けられ、他端部１６ｂが背板１２の内面に対向すると共に、この他端部１６ｂにねじ孔１８が設けられた固定板１６と、背板１２に一対の脚板１１が互いに接離する方向に沿って設けられた長孔１９内に背板１２の外面から挿入されて固定板１６のねじ孔１８に螺入するねじ部材１７とを備えた構成であるから、簡単な構造で、容易に楽器本体２を一対の脚板１１間に組み付けることができる。
【００３６】
すなわち、この固定部材１５によってスタンド部材３に楽器本体２を取り付ける際には、背板１２の長孔１９を通してねじ部材１７を固定板１６のねじ孔１８に螺入させることにより、一対の脚板１１を互いに離れる方向に移動可能に仮固定することができる。この仮固定された一対の脚板１１間に楽器本体２を配置して、一対の脚板１１を楽器本体２の各側板８の外面に押し当てて密着させ、この状態でねじ部材１７を締め付けることにより、固定板１６の他端部１６ｂを背板１２に固定して、一対の脚板１１を背板１２に固定することができる。
【００３７】
このため、仮固定された一対の脚板１１間に楽器本体２を配置して、一対の脚板１１を楽器本体２の各側板８の外面に押し当てて密着させ、この状態でねじ部材１７を締め付けることにより、楽器本体２をスタンド部材３に確実に取り付けることができるので、楽器本体２を傷付けたり一対の脚板１１と楽器本体２との間に隙間が生じたりすることがなく、簡単に且つ容易に楽器本体２を一対の脚板１１間に組み付けることができる。
【００３８】
（実施形態２）
次に、図６〜図８を参照して、この発明を鍵盤楽器に適用した実施形態２について説明する。なお、図１〜図５に示された実施形態１と同一部分には同一符号を付して説明する。
この鍵盤楽器は、図６および図７に示すように、ねじ部材２０が実施形態１と異なる構成であり、これ以外は実施形態１とほぼ同じ構成になっている。
【００３９】
すなわち、このねじ部材２０は、図７および図８に示すように、背板１２の外面に当接する頭部２１と、背板１２の厚みとほぼ同じか、それよりも少し短い長さに形成されて背板１２の長孔１９内にその長手方向に沿って移動可能に挿入する首部２２と、固定板１６のねじ孔１８に螺入するねじ部２３とを備えている。これにより、ねじ部材２０は、図８（ａ）に示すように、背板１２の長孔１９に外側から挿入し、ねじ部２３が固定板１６のねじ孔１８に螺入して、強く締め付けられていない状態で、一対の脚板１１を互いに離れる方向に移動可能に仮固定するように構成されている。
【００４０】
また、このねじ部材２０は、図６に示すように、仮固定された一対の脚板１１間に楽器本体２を配置して、一対の脚板１１を楽器本体２の各側板８の外面に押し当てて密着させた状態で、図８（ｂ）に示すように、ねじ部材２０が強く締め付けられると、ねじ部２３が固定板１６のねじ孔１８に螺入しながら、固定板１６の他端部１６ｂが背板１２の内面に引き寄せられて圧接すると共に、頭部２１が背板１２の外面に圧接することにより、固定板１６の他端部１６ｂを背板１２に固定するように構成されている。
【００４１】
このようなねじ部材２０を備えたスタンド部材３に楽器本体２を取り付ける際には、図６および図７に示すように、まず、固定板１の一端部１６ａを背板１２に隣接する脚板１１の内面に取り付けて、固定板１６の他端部１６ｂに設けられたねじ孔１８を背板１２に設けられた長孔１９に対応させる。この状態で、図８（ａ）に示すように、ねじ部材２０の首部２２を背板１２の長孔１９内に外側から挿入させて、ねじ部材２０のねじ部２３を固定板１６のねじ孔１８に螺入させる。
【００４２】
このときには、図８（ａ）に示すように、ねじ部材２０の頭部２１が背板１２の外面に圧接せず、また固定板１６の他端部１６ｂが背板１２の内面に圧接しない状態であるため、ねじ部材２０の首部２２が背板１２の長孔１９内をその長手方向に沿って移動可能な状態になることにより、一対の脚板１１が背板１２に対して仮固定される。このため、一対の脚板１１を互いに離れる方向に移動させて、一対の脚板１１の上部間を楽器本体２の長手方向の長さよりも広い間隔に広げることができる。
【００４３】
この状態で、仮固定された一対の脚板１１間に楽器本体２を上方または前方から配置して、楽器本体２の天板９の両側部９ａを一対の脚板１１上に配置する。これにより、楽器本体２がスタンド部材３の一対の脚板１１に支持される。この後、ねじ部材２０の首部２２を背板１２の長孔１９に沿って移動させながら、一対の脚板１１における各上部の内面を楽器本体２における一対の側板８の各後部８ｂの外面に押し当てて密着させる。
【００４４】
このときには、実施形態１と同様、一対の脚板１１の各外面と楽器本体２における一対の側板８の各前部８ａの外面とが同一平面になり、一対の脚板１１における各上部の内面と楽器本体２における一対の側板８の各後部８ｂの外面との間に隙間が生じないように、密着させることができる。
【００４５】
この状態で、ねじ部材２０を強く締め付けると、図８（ｂ）に示すように、ねじ部材２０の頭部２１が背板１２の外面に圧接すると共に、固定板１６の他端部１６ｂが背板１２の内面に押し付けられて、固定板１６の他端部１６ｂが背板１２に固定される。これにより、一対の脚板１１における各上部の内面と楽器本体２における一対の側板８の各後部８ｂの外面との間に隙間が生じることがなく、一対の脚板１１が背板１２に対して固定され、楽器本体２がスタンド部材３に取り付けられる。
【００４６】
このように、この鍵盤楽器の組立て構造によれば、実施形態１と同様の作用効果があるほか、ねじ部材２０がスタンド部材３の背板１２の外面に当接する頭部２１と、背板１２の厚みとほぼ同じ長さに形成されて背板１２の長孔１９内にその長手方向に沿って移動可能に挿入する首部２２と、固定板１６のねじ孔１８に螺入するねじ部２３とを備えているので、簡単な構造で、容易に楽器本体２を一対の脚板１１間に組み付けることができる。
【００４７】
すなわち、このねじ部材２０によってスタンド部材３に楽器本体２を取り付ける際には、背板１２の長孔１９を通してねじ部材２０を固定板１６のねじ孔１８に螺入させることにより、一対の脚板１１を互いに離れる方向に移動可能に仮固定することができる。この仮固定された一対の脚板１１間に楽器本体２を配置して、一対の脚板１１を楽器本体２の各側板８の外面に押し当てる際に、ねじ部材２０の首部２２によって円滑に移動させることができる。これにより、一対の脚板１１を楽器本体２の各側板８の外面に押し当てて密着させた状態で、ねじ部材２０を強く締め付けることにより、固定板１６の他端部１６ｂを背板１２に固定して、一対の脚板１１を背板１２に固定することができる。
【００４８】
このため、仮固定された一対の脚板１１間に楽器本体２を配置して、一対の脚板１１を楽器本体２の各側板８の外面に押し当て、この状態でねじ部材２０を締め付けることにより、楽器本体２をスタンド部材３に確実に取り付けることができるので、実施形態１と同様、楽器本体２を傷付けたり一対の脚板１１と楽器本体２との間に隙間が生じたりすることがなく、簡単に且つ容易に楽器本体２を一対の脚板１１間に組み付けることができる。
【００４９】
（実施形態３）
次に、図９および図１０を参照して、この発明を鍵盤楽器に適用した実施形態３について説明する。この場合には、図６〜図８に示された実施形態２と同一部分に同一符号を付して説明する。
この鍵盤楽器は、図９（ａ）および図９（ｂ）に示すように、ねじ部材２０の首部２２が挿入する円筒部材２５を備えた構成であり、これ以外は実施形態２とほぼ同じ構成になっている。
【００５０】
すなわち、この円筒部材２５は、図１０に示すように、変形可能な金属または合成樹脂からなり、図９（ａ）および図９（ｂ）に示すように、背板１２の長孔１９内にその長手方向に沿って移動可能に配置されて、ねじ部材２０の首部２２が挿入するように構成されている。この場合、円筒部材２５は、その長さが背板１２の厚みよりも少し長く形成されている。
【００５１】
これにより、円筒部材２５は、図９（ａ）に示すように、背板１２に設けられた長孔１９内に配置され、この状態で円筒部材２５の内部にねじ部材２０の首部２２が背板１２の外面から挿入して固定板１６のねじ孔１８に螺入した際に、円筒部材２５が背板１２の内面から突出して、一対の脚板１１を互いに離れる方向に移動可能な状態で仮固定するように構成されている。
【００５２】
また、この円筒部材２５は、仮固定された一対の脚板１１間に楽器本体２を配置して、一対の脚板１１を楽器本体２の各側板８の外面に押し当てて密着させた状態で、ねじ部材２０を強く締め付けると、ねじ部２３が固定板１６のねじ孔１８に螺入しながら、固定板１６の他端部１６ｂが背板１２の内面に引き寄せられて、円筒部材２５に圧接することにより、図９（ｂ）に示すように、円筒部材２５が変形して頭部２１が背板１２の外面に圧接し、固定板１６の他端部１６ｂを背板１２に対して固定するように構成されている。
【００５３】
このように、この鍵盤楽器の組立て構造によれば、実施形態２と同様の作用効果があるほか、ねじ部材２０の首部２２が挿入する変形可能な円筒部材２５を備え、この円筒部材２５が背板１２の厚みよりも少し長く形成されて背板１２の長孔１９内にその長手方向に沿って移動可能に配置された構成であるから、簡単な構成で、ねじ部材２０を締め付けて円筒部材２５を変形させることにより、固定板１６を背板１２に対して確実に固定することができるので、簡単に且つ容易に楽器本体２を一対の脚板１１間に組み付けることができる。
【００５４】
すなわち、このねじ部材２０および円筒部材２５によってスタンド部材３に楽器本体２を取り付ける際には、円筒部材２５の内部にねじ部材２０の首部２２が背板１２の外面から挿入して、ねじ部材２５のねじ部２３が固定板１６のねじ孔１８に螺入し、このねじ部材２０が強く締め付けられていない状態で、一対の脚板１１を互いに離れる方向に移動可能に仮固定することができる。
【００５５】
また、この仮固定された一対の脚板１１間に楽器本体２を配置した状態で、円筒部材２５をねじ部材２０と共に背板１２の長孔１９に沿って移動させて、一対の脚板１１を楽器本体２の各側板８の外面に押し当てる際に、ねじ部材２０の首部２２が挿入した円筒部材２５によって円滑に移動させることができる。
【００５６】
これにより、一対の脚板１１を楽器本体２の各側板８の外面に押し当てて密着させた状態で、ねじ部材２０を強く締め付けることにより、円筒部材２５が変形して固定板１６の他端部１６ｂを背板１２に確実に固定することができる。このため、実施形態２と同様、楽器本体２を傷付けたり一対の脚板１１と楽器本体２との間に隙間が生じたりすることがなく、簡単に且つ容易に楽器本体２を一対の脚板１１間に組み付けることができる。
【００５７】
なお、上述した実施形態３では、円筒部材２５が単純な円筒形状に形成されている場合について述べたが、これに限らず、例えば図１１（ａ）および図１１（ｂ）に示すように、円筒部材２５にその軸方向に沿って細長い複数のスリット孔２５ａを形成した構成でも良い。このように構成すれば、ねじ部材２０を強く締め付けた際に、複数のスリット孔２５ａによって円筒部材２５を変形し易くすることができ、これにより固定板１６の他端部１６ｂを背板１２に容易に且つ確実に固定することができる。
【００５８】
また、上述した実施形態３およびその変形例では、ねじ部材２０の首部２２が円筒部材２５内に挿入する場合について述べたが、必ずしもねじ部材２０の首部２２が円筒部材２５内に挿入する必要はなく、実施形態１で述べたねじ部材１７が円筒部材２５に挿入する場合にも適用することができる。
【００５９】
（実施形態４）
次に、図１２〜図１５を参照して、この発明を鍵盤楽器に適用した実施形態４について説明する。この場合には、図１〜図５に示された実施形態１と同一部分に同一符号を付して説明する。
この鍵盤楽器は、図１２および図１３に示すように、固定部材３０が実施形態１と異なる構成であり、これ以外は実施形態１とほぼ同じ構成になっている。
【００６０】
この固定部材３０は、図１２〜図１５に示すように、一端部３１ａが脚板１１の内面に取り付けられ、他端部３１ｂが楽器本体２の下面に沿ってその長手方向、つまり一対の脚板１１が互いに接近する方向に向けて突出し、この突出した先端部にフック部３１ｃが設けられた係止固定板３１と、楽器本体２の底板５の下面に取り付けられ、係止固定板３１のフック部３１ｃに係脱可能に係止されて回転操作によってフック部３１ｃを一対の脚板１１が互いに接近する方向に向けて引き寄せることにより、脚板１１を楽器本体２の側板８の外面に押し付けて固定するためのクランプ部材３２とを備えている。
【００６１】
このクランプ部材３２は、図１２〜図１５に示すように、楽器本体２における底板５の下面に設けられた固定軸３３と、この固定軸３３に回転自在に取り付けられた操作レバー３４と、この操作レバー３４のほぼ中間部に回転自在に取り付けられて係止固定板３１のフック部３１ｃに係脱可能に係止される係止リング部３５とを備えている。
【００６２】
これにより、クランプ部材３２は、図１２〜図１５に示すように、係止リング部３５を係止固定板３１のフック部３１ｃに係止させて操作レバー３４を図１２において時計回り方向に回転操作することにより、操作レバー３４が係止リング部３５を一対の脚板１１の互いに接近する方向に向けて引っ張り、脚板１１を楽器本体２の側板８に接近させる方向に向けてフック部３１ｃを引き寄せるように構成されている。
【００６３】
この場合、固定軸３３は、図１２および図１３に示すように、楽器本体２の底板５の下面における係止固定板３１のフック部３１ｃの先端側近傍（図１２では左側近傍）に位置する箇所に設けられている。操作レバー３４は、楽器本体２の長手方向に沿って細長い帯板状に形成され、その一端部が固定軸３３に上下方向に回転自在に取り付けられ、他端部が係止固定板３１のフック部３１ｃから離れる方向に向けて配置されるように構成されている。
【００６４】
係止リング部３５は、図１４および図１５に示すように、丸棒をほぼコ字形状に折り曲げたものであり、その一端部が操作レバー３４のほぼ中間部に回転自在に取り付けられ、他端部が固定軸３３から係止固定板３１のフック部３１ｃ側に突出し、この突出した他端部がフック部３１ｃに係脱可能に係止されるように構成されている。
【００６５】
これにより、クランプ部材３２は、係止リング部３５を係止固定板３１のフック部３１ｃに係止させることにより、一対の脚板１１を互いに離れる方向に移動可能に仮固定するように構成されている。また、このクランプ部材３２は、仮固定された一対の脚板１１間に楽器本体２を配置し、この状態で楽器本体２の底板５に設けられた固定軸３３を中心に操作レバー３４を図１２において時計回り方向に回転操作することにより、一対の脚板１１が互いに接近する方向に向けて係止リング部３５を引っ張るように構成されている。
【００６６】
さらに、このクランプ部材３２は、図１３および図１５に示すように、一対の脚板１１が互いに接近する方向に向けて係止リング部３５を引っ張ると、係止リング部３５がフック部３１ｃを一対の脚板１１の互いに接近する方向に向けて引き寄せ、一対の脚板１１を楽器本体２の各側板８の外面に押し当てて密着させ、この状態で一対の脚板１１を楽器本体２に対して固定するように構成されている。
【００６７】
このような鍵盤楽器の組立て構造によれば、実施形態１と同様の作用効果があるほか、固定部材３０が、脚板１１の内面に一端部３１ａが取り付けられ、他端部３１ｂが楽器本体２の下面に沿って一対の脚板１１の互い接近する方向に向けて突出し、この突出した先端部にフック部３１ｃが設けられた係止固定板３１と、楽器本体２の底板５に取り付けられ、係止固定板３１のフック部３１ｃを回転操作によって引き寄せて脚板１１を楽器本体２の側板８に押し付けて固定するためのクランプ部材３２とを備えた構成であるから、クランプ部材３２を回転操作するだけで、脚板１１を楽器本体２に押し当てて固定することができ、これにより簡単に且つ容易に楽器本体２を一対の脚板１１間に組み付けることができる。
【００６８】
この場合、クランプ部材３２は、楽器本体２における底板５の下面に設けられた固定軸３３と、この固定軸３３に回転自在に取り付けられた操作レバー３４と、この操作レバー３４のほぼ中間部に回転自在に取り付けられて係止固定板３１のフック部３１ｃに係脱可能に係止される係止リング部３５とを備えているので、この係止リング部３５を係止固定板３１のフック部３１ｃに係止させて操作レバー３４を回転操作するだけで、係止リング部３４を引っ張ってフック部３１ｃを引き寄せることができ、これにより脚板１１を楽器本体２に押し当てて固定することができるので、簡単に且つ容易に楽器本体２を一対の脚板１１間に組み付けることができる。
【００６９】
すなわち、この固定部材３０によってスタンド部材３に楽器本体２を取り付ける際には、クランプ部材３２の係止リング部３５を係止固定板３１のフック部３１ｃに係止させることにより、一対の脚板１１を互いに離れる方向に移動可能に仮固定することができる。この仮固定された一対の脚板１１間に楽器本体２を配置し、この状態で楽器本体２に取り付けられた固定軸３３を中心に操作レバー３４を回転操作して係止リング部３５を引っ張ると、係止リング部３５がフック部３１ｃを引き寄せて一対の脚板１１を楽器本体２の各側板８の外面に押し当てて密着させることができる。
【００７０】
このため、係止リング部３５を係止固定板３１のフック部３１ｃに係止させた状態で、操作レバー３４を回転操作するだけで、一対の脚板１１を楽器本体２の各側板８の外面に押し当て、一対の脚板１１を楽器本体２に対して固定することができるので、楽器本体２を傷付けたり一対の脚板１１と楽器本体２との間に隙間が生じたりすることがなく、簡単に且つ容易に楽器本体２を一対の脚板１１間に組み付けることができる。
【００７１】
なお、上述した実施形態４では、クランプ部材３２を楽器本体２の底板５の下面に取り付けた場合について述べたが、必ずしもクランプ部材３２を楽器本体２の底板５に取り付ける必要はなく、例えばクランプ部材３２を背板１２の内面に取り付けた構成でも良い。このように構成しても、実施形態４と同様の作用効果がある。
【００７２】
（実施形態５）
次に、図１６〜図１８を参照して、この発明を鍵盤楽器に適用した実施形態５について説明する。この場合にも、図１〜図５に示された実施形態１と同一部分に同一符号を付して説明する。
この鍵盤楽器は、図１６および図１７に示すように、固定部材４０が実施形態１と異なる構成であり、これ以外は実施形態１とほぼ同じ構成になっている。
【００７３】
この固定部材４０は、図１７および図１８に示すように、楽器本体２の長手方向に沿って背板１２の内面に取り付けられたガイド板４１と、このガイド板４１にスライド可能に保持されて一端部４２ａが脚板１１の内面に取り付けられ、且つスライド方向に沿って長孔４３が形成されたスライド板４２と、このスライド板４２の長孔４３を通して背板１２に設けられたねじ孔４４に螺入するねじ部材４５とを備えている。
【００７４】
この場合、ガイド板４１は、図１８（ａ）および図１８（ｂ）に示すように、楽器本体２の長手方向に沿って細長い帯板状に形成され、その上下辺部にスライド板４２の上下辺部をスライド可能に係止するガイド溝部４１ａがガイド板４１の長手方向に沿って設けられた構成になっている。
【００７５】
スライド板４２は、図１７および図１８に示すように、ガイド板４１よりも長さの長い帯板状に形成され、その一端部４２ａがＬ字形状に折り曲げられて脚板１１の内面に取り付けられている。このスライド板４２の他端部４２ｂには、ガイド板４１から抜け出すのを阻止するための抜止め用のストッパ部４２ｃが設けられている。
【００７６】
ねじ部材４５は、図１８（ａ）および図１８（ｂ）に示すように、スライド板４２の長孔４３を通して背板１２に設けられたねじ孔４４に螺入するように構成されている。この場合、ねじ部材４５は、スライド板４２の長孔４３を通して背板１２に設けられたねじ孔４４に螺入しても、頭部４５ａがスライド板４２をガイド板４１に押し付けていない状態では、スライド板４２がガイド板４１に対してスライドするように構成されている。
【００７７】
また、このねじ部材４５は、これが締め付けられて頭部４５ａがスライド板４２をガイド板４１に押し付けると、スライド板４２をガイド板４１と共に背板１２に対して固定するように構成されている。これにより、固定部材４０は、ねじ部材４５をスライド板４２の長孔４３を通して背板１２のねじ孔４４に螺入させてスライド板４２をスライド可能な状態にすることにより、一対の脚板１１を互いに離れる方向に移動可能な状態で仮固定するように構成されている。
【００７８】
また、この固定部材４０は、図１６に示すように、仮固定された一対の脚板１１間に楽器本体２を配置して、一対の脚板１１を楽器本体２の各側板８の外面に押し当てて密着させ、この状態でねじ部材４５を締め付けることにより、スライド板４２をガイド板４１に押し付けて背板１２に固定し、一対の脚板１１を背板１２に固定するように構成されている。
【００７９】
このような鍵盤楽器の組立て構造によれば、実施形態１と同様の作用効果があるほか、固定部材４０が、楽器本体２の長手方向に沿って背板１２の内面に取り付けられたガイド板４１と、このガイド板４１にスライド可能に保持されて一端部４２ａが脚板１１の内面に取り付けられ、且つスライド方向に沿って長孔４３が形成されたスライド板４２と、このスライド板４２の長孔４３を通して背板１２に設けられたねじ孔４４に螺入するねじ部材４５とを備えているので、簡単な構造で、容易に楽器本体２を一対の脚板１１間に組み付けることができる。
【００８０】
すなわち、この固定部材４０によってスタンド部材３に楽器本体２を取り付ける際には、固定部材４０のねじ部材４５をスライド板４２の長孔４３を通して背板１２のねじ孔４４に螺入させてスライド板４２をスライド可能な状態にすることにより、一対の脚板１１を互いに離れる方向に移動可能に仮固定することができる。この仮固定された一対の脚板１１間に楽器本体２を配置して、一対の脚板１１を楽器本体２の各側板８の外面に押し当てて密着させ、この状態でねじ部材４５を締め付けることにより、スライド板４２をガイド板４１に押し付けて背板１２に固定し、一対の脚板１１を背板１２に固定することができる。
【００８１】
このため、ねじ部材４５を締め付けてスライド板４２をガイド板４１に押し付けてるだけで、スライド板４２をガイド板４１と共に背板１２に固定して、一対の脚板１１を背板１２に固定することができるので、実施形態１と同様、楽器本体２を傷付けたり一対の脚板１１と楽器本体２との間に隙間が生じたりすることがなく、簡単に且つ容易に楽器本体２を一対の脚板１１間に組み付けることができる。
【００８２】
（実施形態６）
次に、図１９および図２０を参照して、この発明を鍵盤楽器に適用した実施形態６について説明する。この場合にも、図１〜図５に示された実施形態１と同一部分に同一符号を付して説明する。
この鍵盤楽器は、図１９および図２０に示すように、固定部材５０が実施形態１と異なる構成であり、これ以外は実施形態１とほぼ同じ構成になっている。
【００８３】
この固定部材５０は、図１９および図２０に示すように、一端部５１ａが脚板１１に取り付けられ、他端部５１ｂが楽器本体２の長手方向に沿って延び、この延びた他端部５１ｂの一辺部にラック歯５２が設けられた固定板５１と、この固定板５１のラック歯５２に噛み合うピニオン歯５４を有する回転体５３と、この回転体５３を楽器本体２の底板５の下面に固定するためのねじ部材５５とを備えている。
【００８４】
この場合、固定板５１は、図１９（ａ）および図１９（ｂ）に示すように、楽器本体２の長手方向に沿って細長い帯板状に形成され、その一端部５１ａがＬ字形状に折り曲げられて脚板１１の内面に取り付けられている。この固定板５１の長手方向に沿う一辺部には、ラック歯５２が直線的に連続して設けられている。回転体５３は、円板状に形成されており、その中心部には、ねじ部材５５が挿入する挿入孔５３ａが上下に貫通して設けられている。この回転体５３の外周部には、固定板５１のラック歯５２に噛み合うピニオン歯５４が設けられている。
【００８５】
ねじ部材５５は、図１９および図２０に示すように、回転体５３の挿入孔５３ａを通して楽器本体２の底板５に設けられたねじ孔５６に螺入するように構成されている。この場合、ねじ部材５５は、回転体５３の挿入孔５３ａを通して背板１２のねじ孔５６に螺入しても、図１９（ａ）に示すように、頭部５５ａが回転体５３を楽器本体２の底板５に押し付けていない状態では、回転体５３のピニオン歯５４が固定板５１のラック歯５２に噛み合って回転体５３が回転するように構成されている。
【００８６】
また、このねじ部材５５は、これが締め付けられて頭部５５ａが回転体５３を楽器本体２の底板５に押し付けると、図１９（ｂ）に示すように、回転体５３が回転しないように、回転体５３を固定するように構成されている。
【００８７】
これにより、固定部材５０は、ねじ部材５５を緩めて回転体５３を回転可能な状態にすると、図１９（ａ）に示すように、回転体５３のピニオン歯５４が固定板５１のラック歯５２に噛み合って回転しながら、固定板５１が移動することにより、一対の脚板１１を互いに離れる方向に移動可能に仮固定するように構成されている。
【００８８】
また、この固定部材５０は、仮固定された一対の脚板１１間に楽器本体２を配置して、一対の脚板１２を楽器本体２の各側板８の外面に押し当てる際に、回転体５３のピニオン歯５４が固定板５１のラック歯５２に噛み合って回転しながら固定板５１が移動して、一対の脚板１２を楽器本体２の各側板８の外面に押し当てて密着させるように構成されている。
【００８９】
さらに、この固定部材５０は、一対の脚板１１を楽器本体２の各側板８の外面に押し当てて密着させた状態で、ねじ部材５５を強く締め付けることにより、回転体５３のピニオン歯５４が固定板５１のラック歯５２に噛み合った状態で、回転体５３が楽器本体２に押し付けられて固定され、一対の脚板１１を楽器本体２に固定するように構成されている。
【００９０】
このような鍵盤楽器の組立て構造によれば、実施形態１と同様の作用効果があるほか、固定部材５０が、脚板１１に一端部５１ａが取り付けられ、他端部５１ｂが楽器本体２の長手方向に沿って延び、この延びた他端部５１ｂの一辺部にラック歯５２が直線的に設けられた固定板５１と、この固定板５１のラック歯５２に噛み合うピニオン歯５４を有する回転体５３と、この回転体５３を楽器本体２の底板５の下面に固定するためのねじ部材５５とを備えているので、簡単に且つ容易に楽器本体２を一対の脚板１１間に組み付けることができる。
【００９１】
すなわち、この固定部材５０によってスタンド部材３に楽器本体２を取り付ける際には、固定部材５０のねじ部材５５を緩めて回転体５３を回転可能な状態にすると、回転体５３のピニオン歯５４が固定板５１のラック歯５２に噛み合って回転しながら、固定板５１が移動することにより、一対の脚板１１を互いに離れる方向に移動可能に仮固定することができる。
【００９２】
また、この仮固定された一対の脚板１１間に楽器本体２を配置して、一対の脚板１２を楽器本体２の各側板８の外面に押し当てる際には、回転体５３のピニオン歯５４が固定板５１のラック歯５２に噛み合って回転しながら、固定板５１を移動させることができるので、一対の脚板１２を楽器本体２の各側板８の外面に押し当てて密着させた状態で、ねじ部材５５を強く締め付けることにより、回転体５３のピニオン歯５４が固定板５１のラック歯５２に噛み合った状態で、回転体５３を楽器本体２に固定して、一対の脚板１１を楽器本体２に固定することができる。
【００９３】
このため、一対の脚板１２を楽器本体２の両側面に押し当てる際に、回転体５３が回転して固定板５１を移動させ、この状態でねじ部材５５を強く締め付けて回転体５３を背板１２に固定して一対の脚板１１を楽器本体２に固定することができるので、実施形態１と同様、楽器本体２を傷付けたり一対の脚板１１と楽器本体２との間に隙間が生じたりすることがなく、簡単に且つ容易に楽器本体２を一対の脚板１１間に組み付けることができる。
【００９４】
なお、上述した実施形態６では、楽器本体２の底板５にねじ孔５６を設け、このねじ孔５６にねじ部材５５を螺入させて回転体５３を楽器本体２の底板５に押し付けて固定する構成である場合について述べたが、これに限らず、背板１２にねじ孔５６を設け、このねじ孔５６にねじ部材５５を螺入させて回転体５３を背板１２の内面に押し付けて固定するように構成しても良い。このように構成しても、実施形態６と同様の作用効果がある。
【００９５】
（実施形態７）
次に、図２１〜図２３を参照して、この発明を鍵盤楽器に適用した実施形態７について説明する。この場合にも、図１〜図５に示された実施形態１と同一部分に同一符号を付して説明する。
この鍵盤楽器は、図２１〜図２３に示すように、一対の脚板１１と背板１２とを回転可能に連結する回転連結部材６０と、一対の脚板１１と楽器本体２とを固定する固定部材６１とを備えた構成であり、これ以外は実施形態１とほぼ同じ構成になっている。
【００９６】
すなわち、回転連結部材６０は、図２２に示すように、一対の固定板６０ａ、６０ｂをヒンジ軸６ｃによって回転可能に連結した蝶番であり、脚板１１と背板１２とが交差する角部における複数個所に設けられている。すなわち、この回転連結部材６０は、ヒンジ軸６０ｃが脚板１１と背板１２との交差する角部に位置した状態で、一方の固定板６０ａが脚板１１の内面に取り付けられ、他方の固定板６０ｂが背板１２の内面に取り付けられた構成になっている。
【００９７】
これにより、回転連結部材６０は、図２１に示すように、ヒンジ軸６０ｃを中心に一対の脚板１１が背板１２に対して互いに開く方向に回転するように、一対の脚板１１と背板１２とを連結している。また、固定部材６１は、図２１および図２３に示すように、一対の脚板１１と楽器本体２とを固定するためのねじ部材であり、一対の脚板１１に設けられた挿入孔６２を通して楽器本体２の側板８に設けられたねじ孔６３に螺入するように構成されている。
【００９８】
このような鍵盤楽器の組立て構造によれば、実施形態１と同様の作用効果があるほか、一対の脚板１１と背板１２とを回転可能に連結する回転連結部材６０と、一対の脚板１１と楽器本体２とを固定する固定部材６１とを備えた構成であるから、楽器本体２を傷付けたり一対の脚板１１と楽器本体２との間に隙間が生じたりすることがなく、簡単に且つ容易に楽器本体２を一対の脚板１１間に組み付けることができる。
【００９９】
すなわち、スタンド部材３に楽器本体２を取り付ける際には、回転連結部材６０によって一対の脚板１１を互いに離れる方向に押し広げた状態で仮固定することができ、この仮固定された一対の脚板１１間に楽器本体２を配置し、回転連結部材６０を中心に一対の脚板１１を回転させて、楽器本体２の各側板８の外面に押し当てて密着させ、この状態で固定部材６１によって一対の脚板１１を楽器本体２に固定することができる。このため、楽器本体２を傷付けたり一対の脚板１１と楽器本体２との間に隙間が生じたりすることがなく、簡単に且つ容易に楽器本体２を一対の脚板１１間に組み付けることができる。
【０１００】
なお、上述した実施形態７では、回転連結部材６０が一対の固定板６０ａ、６０ｂをヒンジ軸６ｃで回転可能に連結した蝶番である場合について述べたが、これに限らず、例えば図２４に示すように、背板１２に円弧状に湾曲したヒンジアーム部６５を設け、このヒンジアーム部６５の先端を脚板１１に設けられた係止孔６６に挿入させることにより、脚板１１と背板１２とを回転可能に連結する回転連結部６４を構成したものでも良い。この場合、ヒンジアーム部６５の先端部には、脚板１１の係止孔６６からヒンジアーム部６５が抜け出すのを阻止するための抜止め部６５ａが設けられていることが望ましい。
【０１０１】
このように構成しても、スタンド部材３に楽器本体２を取り付ける際に、回転連結部材６４によって一対の脚板１１を互いに離れる方向に押し広げた状態で仮固定することができる。この仮固定された一対の脚板１１間に楽器本体２を配置し、回転連結部材６４のヒンジアーム部６５を中心に一対の脚板１１を回転させて、楽器本体２の各側板８の外面に押し当てて密着させ、この状態で固定部材６１によって一対の脚板１１を楽器本体２に固定することができる。このため、実施形態７と同様、楽器本体２を傷付けたり一対の脚板１１と楽器本体２との間に隙間が生じたりすることがなく、簡単に且つ容易に楽器本体２を一対の脚板１１間に組み付けることができる。
【符号の説明】
【０１０２】
１  鍵盤部
２  楽器本体
３  スタンド部材
４  底板
８  側板
１１  脚板
１２  背板
１５、３０、４０、５０  固定部材
１６、５１  固定板
１７、２０、４５、５５  ねじ部材
１８、４４  ねじ孔
１９、４３  長孔
２１  頭部
２２  首部
２３  ねじ部
２５  円筒部材
３１  係止固定板
３１ｃ  フック部
３２  クランプ部材
３３  固定軸
３４  操作レバー
３５  係止リング部
４１  ガイド板
４２  スライド板
５２  ラック歯
５３  回転体
５４  ピニオン歯
６０、６４  回転連結部材
６０ａ、６０ｂ  固定板
６０ｃ  ヒンジ軸
６１  固定部材
６５  ヒンジアーム部
６６  係止孔
【図１】
0005560732.tif 000002
【図２】
0005560732.tif 000003
【図３】
0005560732.tif 000004
【図４】
0005560732.tif 000005
【図５】
0005560732.tif 000006
【図６】
0005560732.tif 000007
【図７】
0005560732.tif 000008
【図８】
0005560732.tif 000009
【図９】
0005560732.tif 000010
【図１０】
0005560732.tif 000011
【図１１】
0005560732.tif 000012
【図１２】
0005560732.tif 000013
【図１３】
0005560732.tif 000014
【図１４】
0005560732.tif 000015
【図１５】
0005560732.tif 000016
【図１６】
0005560732.tif 000017
【図１７】
0005560732.tif 000018
【図１８】
0005560732.tif 000019
【図１９】
0005560732.tif 000020
【図２０】
0005560732.tif 000021
【図２１】
0005560732.tif 000022
【図２２】
0005560732.tif 000023
【図２３】
0005560732.tif 000024
【図２４】
0005560732.tif 000025